(57)【要約】  【課題】  装置を大型化することなく微細な泡を消滅し得る消泡装置を提供するものである。  【解決手段】  吸引口１８から排出口２０までの間に空気が通過する通過流路２２を有し、吸引口１８には泡Ｃの直径より小さい寸法で開口する目開きの網部材２３を配置する。電動機８により羽根車７を回転駆動して、羽根車７の遠心作用により泡Ｃと空気が吸入口１８に向かって吸引され、空気は通過流路２２を通過して排出口２０より液体タンク１へ排出される。泡Ｃは吸引口１８で網部材２３に衝突し、泡の直径より小さい寸法で開口する目開きの網部材２３を通過することができずに破壊されて消滅して、液体となって液体タンク１の液面に落下する。【選択図】    図１
2018122200.tif 000002
【特許請求の範囲】
【請求項１】
内部に羽根車を収容したケーシングと、ケーシングの羽根車に面した正面側で羽根車の中心部に向けて開口する入口と、液体タンクの液面上に生じる泡を吸引する吸引口と、吸引口より入口を介してケーシング内に通じる吸引流路と、羽根車の遠心作用による遠心力を受けて入口より羽根車の外周側へ移行された吸引物が衝突する羽根車外周に有したケーシングの内壁部分と、ケーシングの内壁部分へ衝突した吸引物を排出する排出口と、ケーシングの背後から羽根車を回転駆動する電動機を備え、吸引口から排出口までの間には吸引物が通過する通過流路を有し、通過流路には網部材を配置し、網部材は開口する目開きの寸法を泡の直径より小さくしたことを特徴とする消泡装置。
【請求項２】
前記網部材は、前記吸引口に配置したことを特徴とする請求項１に記載の消泡装置。
【請求項３】
前記網部材は、前記排出口に配置したことを特徴とする請求項１に記載の消泡装置。
【発明の詳細な説明】
【技術分野】
【０００１】
本発明は、泡を吸引することにより泡を破壊し消滅させる消泡装置に関し、特に、液体タンクに貯蔵する液の液面上に生じる泡を良好に消すことができる消泡装置に関する。
【背景技術】
【０００２】
従来の消泡装置は、下部槽（液体タンク）の液面上に発生する泡は、吸引羽根（羽根車）の回転で吸引口より吸引して消泡部に導かれ、この泡は、吸引羽根（羽根車）の外周側に遠心作用で移行され、吸引羽根（羽根車）外周側の壁面（ケーシングの内壁部分）に衝突して破壊されて消滅する。そして、泡消滅によって生じる液体は、空気とともに戻し口（排出口）から排出されて下部槽（液体タンク）内へ戻される（たとえば、特許文献１参照）。
【先行技術文献】
【特許文献】
【０００３】
【特許文献１】特開２００２−２１９３０６号公報
【発明の概要】
【発明が解決しようとする課題】
【０００４】
ところが、かかる従来の消泡装置では、遠心力が弱いと、吸引口から吸引された微細な泡はケーシングの内壁部分に衝突しても消滅させることができず、大きな遠心力を得るためには出力の大きな電動機が必要となり、装置が大型化してしまうという問題点があった。
【０００５】
本発明の課題は、装置を大型化することなく微細な泡を消滅し得る消泡装置を提供するものである。
【課題を解決するための手段】
【０００６】
かかる課題を達成すべく、本発明は次の手段をとった。即ち、
内部に羽根車を収容したケーシングと、ケーシングの羽根車に面した正面側で羽根車の中心部に向けて開口する入口と、液体タンクの液面上に生じる泡を吸引する吸引口と、吸引口より入口を介してケーシング内に通じる吸引流路と、羽根車の遠心作用による遠心力を受けて入口より羽根車の外周側へ移行された吸引物が衝突する羽根車外周に有したケーシングの内壁部分と、ケーシングの内壁部分へ衝突した吸引物を排出する排出口と、ケーシングの背後から羽根車を回転駆動する電動機を備え、吸引口から排出口までの間には吸引物が通過する通過流路を有し、通過流路には網部材を配置し、網部材は開口する目開きの寸法を泡の直径より小さくしたことを特徴とする消泡装置がそれである。
【０００７】
この場合、前記網部材は、前記吸引口に配置してもよい。また、前記網部材は、前記排出口に配置してもよい。
【発明の効果】
【０００８】
以上詳述したように、請求項１に記載の発明は、吸引口から排出口までの間には吸引物が通過する通過流路を有し、通過流路には網部材を配置し、網部材は開口する目開きの寸法を泡の直径より小さくした。このため、羽根車の遠心作用により吸引されて通過流路を通過する泡は、通過流路に配置された網部材に衝突し、泡の直径より小さい寸法で開口する目開きの網部材を通過することができずに破壊されるから、装置を大型化することなく微細な泡を消滅することができる。
【０００９】
また、請求項２に記載の発明は、網部材は、吸引口に配置した。このため、羽根車の遠心作用により泡と空気が吸引口に向かって吸引され、空気は通過流路を通過して排出口より排出され、泡は吸引口で網部材に衝突して破壊されて消滅し液体となって液体タンクの液面に落下する。そして、泡に異物が混入していても、この異物も網部材を通過することができずに液体タンクの液面に落下するから、装置への異物の侵入を防ぐことができ、装置の長寿命化を図ることができる。
【００１０】
また、請求項３に記載の発明は、網部材は、排出口に配置した。このため、羽根車の遠心作用により泡と空気が吸引口からケーシング内に吸引され、泡はケーシングの内壁部分に衝突して破壊されて消滅し液体となり、消滅せずに残存した泡は、さらに排出口で網部材に衝突して破壊されて消滅し液体となって、空気とともに排出口から排出するから、微細な泡を確実に消滅することができる。
【図面の簡単な説明】
【００１１】
【図１】本発明の一実施形態を示した消泡装置の縦断面図である。
【図２】図１の矢視Ａから見た一部を示した底面図である。
【図３】図１の矢視Ｂから見た一部を示した右側面図である。
【図４】他の実施形態を示した消泡装置の縦断面図である。
【発明を実施するための形態】
【００１２】
以下、本発明の一実施形態を図面に基づき説明する。
図１ないし図３において、１はクーラント液等の液体を回収、貯蔵する液体タンクである。２は消泡装置で、液体タンク１の上板３上に載置板４を載置して設置している。消泡装置２は載置板４の下部に複数のボス５を介してケーシング６を溶接で取付けている。ケーシング６は、上部を閉塞して下部を開放した略円筒状で、内部には羽根車７を収装している。羽根車７は、円形のデイスク７Ａの正面側に６枚の羽根片７Ｂを半径方向へ延びるように取付けると共に、半径方向の中心部には、入力軸７Ｃを取付けている。羽根車７の外周すなわち各羽根片７Ｂの半径方向外方端がケーシング６の内壁部分６Ａと対向配置している。入力軸７Ｃは、ケーシング６、載置板４を貫通してその背後に突出し、電動機８の出力軸８Ａに同軸状に取付けている。電動機８は載置板４の上部に溶接で取付けた取付板９に複数のボルト部材１０で着脱自在に取付けている。
【００１３】
ケーシング６の下部には、複数のカラー部材１１で間隙を有して円板状の基板１２を複数のボルト部材１３で取付けている。基板１２には、中心部周りに複数の円弧状の開口部１４を貫通形成している。基板１２の上面には、略円筒状の入口円筒部１５を溶接で取付け、入口円筒部１５はその上端に、ケーシング６の羽根車７に面した正面側で、羽根車７の中心部に向けて開口する入口１６を形成している。基板１２の下面には略円筒状の筒部１７を溶接で取付け、筒部１７はその下端に、液体タンク１の液面Ｔ上に生じる泡Ｃを吸引する吸引口１８を有している。筒部１７は吸引口１８より開口部１４、入口１６を介してケーシング６内に通じる吸引流路１９を有している。２０は排出口で、ケーシング６の下部と基板１２の間に複数のカラー１１によって形成された間隙から構成し、吸引口１８より吸引した吸引物としての空気を液体タンク１に排出する。２１は排出流路で、ケーシング６の内壁部分６Ａと入口円筒部１５の外周面との間の間隙を介してケーシング６内と排出口２０との間を通じている。２２は吸引口１８から排出口２０までの間を空気が通過する通過流路で、吸引流路１９と排出流路２１から構成している。
【００１４】
２３は略円板状の網部材で、吸引口１８に複数のボルト部材２４で着脱自在に固定している。図２に示す如き、網部材２３は、網目の形状が正方形となるように縦線２３Ａと横線２３Ｂとが直角に重なり合い、泡Ｃの直径より小さい寸法の目開きを開口している。なお、目開きとはＪＩＳ  Ｚ８８０１−１：２００６（試験用ふるい−第１部：金属製網ふるい）に示す、網目の縦線２３Ａと横線２３Ｂが交差して形成された１目当たりの正方形の開口における縦幅と横幅の寸法のことである。
【００１５】
次に、かかる構成の作動を説明する。
電動機８により羽根車７を回転駆動すると、羽根車７の遠心作用により液面Ｔ上に生じた泡Ｃと空気が吸引口１８に向かって吸引され、空気は通過流路２２を通過して排出口２０から排出する。吸引された泡Ｃは、吸引口１８に固定した網部材２３に衝突し、この衝突で泡Ｃは破壊されて消滅して、液体となって液体タンク１の液面に落下する。そして、泡Ｃに異物が混入していても、この異物も網部材２３を通過することができずに、液体となった泡Ｃと同様に液体タンク１の液面に落下する。また、網部材２３の目開きの寸法より直径が小さい泡がある場合は、網部材２３を通過して吸引流路１９を経てケーシング６内へ導かれ、羽根車７での遠心作用により、遠心力を受け羽根車７の外周側へと移行され、ケーシング６の内壁部分６Ａに衝突する。そして、排出流路２１を通過して、排出口２０より液体タンク１に排出する。
【００１６】
かかる作動において、吸引口１８から排出口２０までの間には空気が通過する通過流路２２を有し、通過流路２２には網部材２３を配置し、網部材２３は開口する目開きの寸法を泡Ｃの直径より小さくした。このため、羽根車７の遠心作用により吸引される泡Ｃは、通過流路２２に配置された網部材２３に衝突し、泡の直径より小さい寸法で開口する目開きの網部材２３を通過することができずに破壊されるから、装置を大型化することなく微細な泡を消滅することができる。
【００１７】
また、網部材２３は、吸引口１８に配置した。このため、羽根車７の遠心作用により泡Ｃと空気が吸引口１８に向かって吸引され、空気は通過流路２２を通過して排出口２０より排出され、泡Ｃは吸引口１８で網部材２３に衝突して破壊されて消滅し、液体となって液体タンク１の液面に落下する。そして、泡Ｃに異物が混入していても、この異物も網部材２３を通過することができずに液体タンク１の液面に落下するから、装置への異物の侵入を防ぐことができ、装置の長寿命化を図ることができる。また、網部材２３は、吸引口１８に複数のボルト部材２４で着脱自在に固定した。このため、消泡する泡の直径に応じて、最適な寸法の目開きを有する網部材に付け替えることができる。
【００１８】
図４は、本発明の他の実施形態を示し、一実施形態と同一個所には同符号を付して説明を省略し、異なる個所についてのみ説明する。
２５はケーシング６の内壁部分６Ａへの泡の衝突で生じる泡消滅による液体を空気とともに排出する排出口で、液体タンク１の液面Ｔ上の近傍に開口し、かつ筒部１７の吸引口１８と垂直方向の位置を略同等にし、筒部１７の吸引口１８の半径方向外方から液体タンク１の液面Ｔ上に生じた泡Ｃに向けて傾斜して空気を送風するよう配置している。詳述するに、ケーシング６の半径方向外方端を外方へ水平方向に延在し、そこから下方へ垂直方向に屈曲形成し、さらに半径方向の内方へ傾斜して屈曲形成して排出外側部材２６を形成している。また、基板１２の半径方向外方端を外方へ水平方向に延在し、そこから下方へ垂直方向に屈曲形成し、さらに半径方向の内方へ傾斜して屈曲形成して排出内側部材２７を形成している。そして、ケーシング６内から排出口２５に至るまでの排出外側部材２６と排出内側部材２７との間の間隙を排出流路２８としている。排出流路２８はケーシング６の内壁部分６Ａへの泡の衝突で生じる泡消滅による液体と、ケーシング６の内壁部分６Ａへの泡の衝突で消滅せずに残存した泡Ｃを空気とともに流し、この先端に排出口２５を開口している。排出口２５は円環状に形成されている。２９は吸引口１８から排出口２５までの間を泡Ｃと泡消滅による液体および空気が通過する通過流路で、吸引流路１９と排出流路２８から構成している。３０は帯状の網部材で、円環状の排出口２５を覆うように排出外側部材２６と排出内側部材２７にろう付けで固着している。網部材３０は、網目の形状が正方形となるように縦線３０Ａと横線３０Ｂとが直角に重なり合い、泡Ｃの直径より小さい寸法の目開きを開口している。
【００１９】
作動は、電動機８により羽根車７を回転駆動すると、羽根車７の遠心作用により液面Ｔ上に生じた泡Ｃと空気が吸引口１８から吸引され、空気は通過流路２９を通過して排出口２５から排出する。そして、吸引された泡Ｃは吸引流路１９を経てケーシング６内に吸引され、羽根車７での遠心作用により、遠心力を受けて羽根車７の外周側へと移行され、ケーシング６の内壁部分６Ａに衝突して破壊されて消滅して液体となる。この衝突で消滅せずに残存した泡Ｃは、さらに排出流路２８を経て排出口２５へと移行され、排出口２５に配置した網部材３０に衝突する。この衝突で、残存した泡Ｃは破壊されて消滅して液体となって排出口２５から液体タンク１に排出する。
【００２０】
この作動で、網部材３０は、排出口２５に配置した。このため、羽根車７の遠心作用により泡Ｃと空気が吸引口１８からケーシング６内に吸引され、泡Ｃはケーシング６の内壁部分６Ａに衝突して破壊されて消滅して液体となる。そして、この衝突で消滅せずに残存した泡Ｃは、さらに排出口２５で網部材３０に衝突し、泡の直径より小さい寸法で開口する目開きの網部材３０を通過することができずに破壊されて消滅して液体となって、空気とともに排出口２５から排出するから、装置を大型化することなく微細な泡を確実に消滅することができる。
【００２１】
なお、前述の各実施形態では、吸引口１８に網部材２２を配置したが、代わりに排出口２０に網部材を配置してもよい。また、排出口２５に網部材３０を配置したが、代わりに吸引口１８に網部材を配置してもよい。また、吸引口１８または排出口２５に網部材２２または３０を配置したが、これに限らず、代わりに開口部１４や入口１６または入口円筒部１５の外周面とケーシング６の内壁部分６Ａとの間隙等の通過流路２２、２９を構成する個所のいずれかに網部材を配置してもよいことは勿論である。
【符号の説明】
【００２２】
１：液体タンク
２：消泡装置
６：ケーシング
６Ａ：内壁部分
７：羽根車
８：電動機
１６：入口
１７：筒部
１８：吸引口
１９：吸引流路
２０、２５：排出口
２２、２９：通過流路
２３、３０：網部材
Ｔ：液面
Ｃ：泡 
【図１】
2018122200.tif 000003
【図２】
2018122200.tif 000004
【図３】
2018122200.tif 000005
【図４】
2018122200.tif 000006